(57)【要約】【課題】  着脱作業を容易とする取付け部の長さ調節機能つきの枕用パッドを提供する。【解決手段】  枕５の上面を被覆する大きさのパッド体２と、パッド体２の対向する二つの端辺に両端が固設され、パッド体２に架設される複数本の取付帯であるゴム帯３と、ゴム帯３の各々の裏側に設けられる留具であるスナップボタン４の雄要素４１と、ゴム帯３の各々の裏側において雄要素４１と離間して設けられるスナップボタン４の雌要素４２と、を備える枕用パッド。【選択図】  図１
0003176287.tif 000002
【実用新案登録請求の範囲】
【請求項１】
パッド体と、
該パッド体の対向する二つの辺に両端が固設されることにより、該パッド体に架設される複数本の取付帯と、
該取付帯の各々に設けられ、互いに係脱自在な雄要素および雌要素を有する留具と、
を備える枕用パッド。
【請求項２】
前記留具を前記取付帯の裏面にて係脱する請求項１の枕用パッド。
【請求項３】
前記留具がスナップボタンであり、
前記雄要素と前記雌要素とが前記取付帯の長手方向において離間して設けられる請求項１または２の枕用パッド。
【請求項４】
前記留具が面ファスナーであり、
前記雄要素と前記雌要素とが前記取付帯の長手方向に設けられる請求項１または２の枕用パッド。
【考案の詳細な説明】
【技術分野】
【０００１】
本考案は、枕に着脱自在に取り付けられる枕用パッドに関する。
【背景技術】
【０００２】
特許文献１に記載の考案は、枕への取り付け、取り外しが非常に簡単であり、それでいて枕の大小にかかわらず体裁よくぴったりとフィットさせることができ、また洗濯などの際の取扱いも容易な枕カバーを提供することを課題とし、柔軟な布地の対向する２辺の縁部に雄または雌の留め要素を複数個所要の間隔をおいて取り付けたカバー本体と、両端に雌または雄の留め要素を取り付けた複数本の伸縮性ベルトからなっていることを特徴とする枕カバーである。
【先行技術文献】
【特許文献】
【０００３】
【特許文献１】実登３０９９２２５号公報
【考案の概要】
【考案が解決しようとする課題】
【０００４】
しかしながら、従来の特許文献１に記載の考案は、着脱の際、カバー本体と伸縮性ベルトの係合の一端が分離し、着脱作業や長さ調節作業を繁雑なものとしていた。
【０００５】
そこで、本考案は上記問題に鑑み、着脱作業や長さ調節作業を容易とする調節機能つきの枕用パッドの提供をすることを課題とする。
【課題を解決するための手段】
【０００６】
上記課題に鑑み、本考案は、パッド体と、該パッド体の対向する二つの辺に両端が固設されることにより、該パッド体に架設される複数本の取付帯と、該取付帯の各々に設けられ、互いに係脱自在な雄要素および雌要素を有する留具と、を備える枕用パッドである。前記留具は前記取付帯の裏面にて係脱することができる。パッド体が柔軟性のある素材が好ましく、枕の少なくとも上面を覆う大きさであることが好ましい。
【０００７】
また本考案は、前記留具がスナップボタンであり、前記雄要素と前記雌要素とが前記取付帯の長手方向において離間して設けられる枕用パッドである。取付帯は伸縮性のバンドが好ましい。
【０００８】
上記考案において、前記雄要素と前記雌要素との離間距離は６ｃｍ〜１４ｃｍが好ましい。
【０００９】
また本考案は、前記留具が面ファスナーであり、前記雄要素と前記雌要素とが前記取付帯の長手方向に設けられる枕用パッドである。
【００１０】
上記考案において、前記雄要素または前記雌要素のうち少なくともいずれか一方が、前記取付帯の長手方向において８ｃｍ〜２５ｃｍの長さを有することが好ましい。
【考案の効果】
【００１１】
本考案によると、枕用パッドを枕から着脱する際、または取付帯の長さを調節する際に、取付帯がパッド体から分離することなく、枕用パッドを枕から容易に着脱できる。また、留具の雄要素と雌要素の係脱により、取付帯の長さを容易に調節することができる。
【図面の簡単な説明】
【００１２】
【図１】本考案による実施例１の枕用パッド１の斜視図である。使用面を下側にして示している（以下、特に断りの無い限り同様である）。
【図２】同実施例の枕用パッド１の平面図である。
【図３】同実施例の枕用パッド１の側面図である。
【図４】同実施例の枕用パッド１を枕５に取り付けた状態を示す斜視図である。
【図５】同実施例の枕用パッド１を枕５に取り付けた状態を示す側面図である。使用面を上側にして示している。
【図６】同実施例の枕用パッド１を裏返した状態の平面図である。
【図７】本考案による実施例２の枕用パッド２０１の平面図である。
【図８】同実施例の枕用パッド２０１を裏返した状態の平面図である。
【図９】同実施例の枕用パッド２０１を枕２５０に取り付けた状態を示す側面図である。使用面を上側にして示している。
【考案を実施するための形態】
【００１３】
本考案の好適な実施例１による枕用パッド１について図１〜図６を参照して説明する。枕用パッド１は、図１〜図３に示す通り、柔軟性のパッド体２と、パッド体２に架設される２本の取付帯であるゴム帯３と、ゴム帯３の各々の裏面に設けられる留具であるスナップボタン４と、を備え、枕５に取り付けて使用するパッドである。以下、各部について説明する。
【００１４】
パッド体２は、図４に示す通り、枕５への取付け状態において枕５の少なくとも上面（図４における底面）を被覆する大きさである。本実施例では５０×５０（ｃｍ）であるが、使用する枕５の大きさに応じて適宜選択し得るものである。パッド体２は、図１および図２に示す通り、使用者との接触面となる表地２１と、枕５との接触面となる裏地２２と、これらの間に充填される中綿２３と、縁取りをするバイアステープ２４とを備える。図示は省略するが、表地２１、中綿２３、裏地２２は一体的にキルティング加工を施してある。表地２１は綿布からなる。裏地２２はポリエステル８０％、綿２０％の混紡布からなる。中綿２３はポリエステル製である。その他これらの材質として、絹、麻、ウール等の天然繊維やアクリル、レーヨン、ナイロン等の合成繊維を用いることができる。また、生地としてガーゼ、タオル地、起毛生地、ワッフル織、ちりめん、またはその他の織物、編物、不織布等の布帛を用いることができる。
【００１５】
ゴム帯３は、図２，図３に示す通り、パッド体２の対向する二つの辺に両端が固設され、パッド体２の裏地２２側に架設される。ゴム帯３の両端の固設は、裏地２２およびバイアステープ２４との間でなされる。ゴム帯３はパッド体２の二つの端辺に架設されることにより、閉鎖された環形状に設けられることとなる。ゴム帯３は互いに離間しつつ平行に設けることが好ましい。本実施例ではゴム帯３は２本設けられるが、３本以上でもよい。ゴム帯３は衣料・寝具等に用いられる平ゴムであり、その伸縮力に合わせて適宜長さを選択するものとする。その際、ゴム帯３の長さはパッド体２の両端に合わせて設けてもよく、また、両端の間の距離よりも短く設けてもよい。
【００１６】
留具としてのスナップボタン４は、図１〜図６に示す通り、互いに係脱自在な雄要素４１および雌要素４２からなる押留ボタンである。雄要素４１および雌要素４２は、その係合部がゴム帯３の裏側において適宜離間して設けられる。本実施例では雄要素４１および雌要素４２の間隔は１０ｃｍであるが、適宜ゴム帯３の伸縮力に合わせて、６〜１４ｃｍ程度の間隔で設けることが好ましい。また、本実施例では、１本のゴム帯３に対して雄要素４１および雌要素４２をそれぞれ１つずつ設けているが、雄要素４１または雌要素４２のいずれか一方、または両方をゴム帯３の長さ方向において複数個設けてもよい。
【００１７】
本考案の実施例１による枕用パッド１の使用について説明する。図４，図５に示す通り、枕用パッド１は、２本のゴム帯３を潜らせて枕５に取り付ける。枕５のサイズが小さい場合は、スナップボタン４の雄要素４１および雌要素４２を押圧して係合させることにより、ゴム帯３の長さを短くして使用する。
【００１８】
また、図６に示すように、枕用パッド１は裏返して使用することもできる。すなわち、裏地２２側にある２本のゴム帯３をそれぞれ、パッド体２の隣接する端辺に通すことにより、表地２１側に移動させて使用することができる。
【００１９】
本考案の実施例１による枕用パッド１の効果について説明する。枕用パッド１は、ゴム帯３により枕５への取付けを容易に行うことができる。ここにおいて、スナップボタン４の係脱により、ゴム帯３の長さを二段階に調節することができる（図１，図４および図３，図５参照）。これにより、大きさの異なる枕５について対応できる。また、長期使用時にもゴム帯３のヘタリに合わせてゴム帯３を短くすることができる。このゴム帯３の長さの調節は、スナップボタン４の係脱というワンタッチにより行うことが可能であり非常に容易な作業である。例えば、調節のためにスナップボタンを外すとゴム帯が枕から外れてしまうというような作業の繁雑さを回避することができる。
【００２０】
スナップボタン４のうち、雄要素４１または雌要素４２のいずれか一方、または両方をゴム帯３の長さ方向において複数個設けることとすれば、ゴム帯３の長さ調節をさらに段階的に行うことができる。本実施例ではパッド体２を５０×５０（ｃｍ）の大きさとしたが、そのような多段階の調節は、パッド体２を上記例以外の大きさとして例えばダブルサイズの枕に用いる場合等にも好適である。また、ゴム帯３の長さをパッド体２の両端に合わせて設ければ、枕用パッド１は自然状態において平面状となり、収納に便利である。一方、ゴム帯３の長さをパッド体２の両端の間の距離よりも短くすれば、枕用パッド１を枕５によりフィットさせやすくなる。
【００２１】
枕用パッド１は裏返して使用し、表地２１のみならず裏地２２を使用者との接触面とすることができる（図６参照）。そこで表地２１および裏地２２を異なる材質で設けることにより、使用者は好みの方を選択することができる。また、この状態においてもゴム帯３の長さを調節することができる。ゴム帯３を布帯としてもよい。
【００２２】
以下、本考案の実施例２による枕用パッド２０１について図７〜図９を参照して説明する。各構成に付す符合は実施例１におけるものの２００番台とし、実施例１と共通する点についてはこれを援用し、説明を省略する。
【００２３】
枕用パッド２０１における取付帯としては、実施例１のゴム帯３とは異なり、布帯２３０が用いられる（図７，８参照）。布帯２３０は伸縮性を有しないものを用いることができる。これに限らず、布帯２３０としてゴム帯３と同様に伸縮性を有するものを用いることもできる。布帯２３０の長さはパッド体２２０の両端の距離に合わせて設けてもよく、また、両端の間の距離よりも短く設けてもよい。
【００２４】
布帯２３０には、図８に示す通り、留具としての面ファスナー２４０が設けられる。面ファスナー２４０は、互いに係脱自在な留具の雄要素２４１および雌要素２４２からなるものである。雄要素２４１および雌要素２４２は布帯２３０の裏側において、所定の間隔をもって設けられる。本実施例では雄要素２４１および雌要素２４２の間隔は７ｃｍであるが、サイズに合わせて適宜選択することができ、間隔を開けずに隣接して設けてもよい。また、本実施例では、雌要素２４２を１６ｃｍの長さにして設けているが、８ｃｍ〜２５ｃｍとすると好適である。雌要素２４２を雄要素２４１と比べて長く設けてあるが、雄要素２４１の方を長くしてもよく、あるいは、布帯２３０のほぼ全長に亘って雄要素２４１と雌要素２４２とを半分ずつ、または所定比率で設けてもよい。
【００２５】
枕用パッド２０１は、実施例１の枕用パッド１と同様に使用する。また、これと同様にして、枕用パッド２０１を裏返して使用することもできる。また、この状態においても布帯２３０の長さを調節することができる。
【００２６】
本考案の実施例２の枕用パッド２０１によると、布帯２３０の長さを無段階に調節することができ、より広範囲のサイズ調整ができ、使用者の希望に応じてより細かく調節することができる。また、布帯２３０の長さをパッド体２２０の両端間の距離よりに合わせて設ければ、枕用パッド２０１は自然状態において平面状となり（図７，図８参照）、収納に便利である。一方、布帯２３０の長さをパッド体２２０の両端間の距離よりも短くすれば、枕用パッド２０１を枕２５０によりフィットさせやすくなる。図１のパッド体２とゴム帯３の関係も同様である。
【００２７】
なお、本考案の実施の形態は、下記の実施形態に何ら限定されるものではなく、本考案の技術的思想を逸脱しない範囲において、改変等を加えることができるものであり、それらの改変、均等物等も本考案の技術的範囲に含まれ、該技術的範囲に属する限り種々の形態を採り得ることは言うまでもない。
【符号の説明】
【００２８】
１・・・枕パッド
２・・・パッド体
３・・・ゴム帯
４・・・スナップボタン（留具）
４１・・・雄要素
４２・・・雌要素
５・・・枕
２０１・・・枕パッド
２２０・・・パッド体
２３０・・・布帯
２４０・・・面ファスナー（留具）
２４１・・・雄要素
２４２・・・雌要素
２５０・・・枕
【図１】
0003176287.tif 000003
【図２】
0003176287.tif 000004
【図３】
0003176287.tif 000005
【図４】
0003176287.tif 000006
【図５】
0003176287.tif 000007
【図６】
0003176287.tif 000008
【図７】
0003176287.tif 000009
【図８】
0003176287.tif 000010
【図９】
0003176287.tif 000011